(57)【要約】      （修正有）【課題】タワー状積層型のＦＲＰ製濾過装置であり、濾過時、逆洗時に自動的に計測でき、管理可能な亀裂防止装置を備えたタワー型ＦＲＰ製濾過装置を提供する。【解決手段】濾過室１の上部には、濾過水貯水部２を設け、下部には濾過処理水室３を設け、三層に積層して構成されたタワー型のＦＲＰ製濾過装置本体であって、濾過室１内に圧力感知装置Ｘを設け、かつ、濾過処理水室３には貯水槽満水検知器Ｙを設け、前記圧力感知装置Ｘと、貯水槽満水検知器Ｙの出力信号を検知し、これに対応する操作盤Ｚを、濾過装置本体の外部に設けたことを特徴とする亀裂防止装置を備えたタワー型ＦＲＰ製濾過装置。【選択図】図１
0003183599.tif 000002
【実用新案登録請求の範囲】
【請求項１】
濾過室（１）の上部には、濾過水貯水部（２）を設け、下部には濾過処理水室（３）を設け、三層に積層して構成されたタワー型のＦＲＰ製濾過装置本体であって、
濾過室（１）内に圧力感知装置（Ｘ）を設け、
かつ、濾過処理水室（３）には貯水槽満水検知器（Ｙ）を設け、
前記圧力感知装置（Ｘ）と、貯水槽満水検知器（Ｙ）の出力信号を検知し、これに対応する操作盤（Ｚ）を、濾過装置本体の外部に設けたことを特徴とする亀裂防止装置を備えたタワー型ＦＲＰ製濾過装置。
【考案の詳細な説明】
【技術分野】
【０００１】
この考案は、亀裂防止装置を備えたタワー型ＦＲＰ製濾過装置に関するものである。
【背景技術】
【０００２】
従来、海水等の水を濾過する濾過装置は、堅牢性、耐食性からＦＲＰ（fibrous glass reinfoeced plastic）製が存在している。
【０００３】
しかし、このＦＲＰ製濾過装置においても、濾過装置本体に連通する取水管よりエアーが混じった海水が入ると、取水ポンプのポンプ圧により、濾過装置本体内にエアーが圧縮され、ＦＲＰの接着部及び点検時等に本体内に出入りするマンホールの取付け部の強度の弱い箇所に亀裂を生ずるという欠点があった。
【０００４】
さらに、濾過装置の点検時、濾過室の海水を１００％排水して、濾過室にエアーが充満している状態で取水ポンプが稼働したときに、濾過室のエアーが圧縮し、エアー圧力で濾過室内部のＦＲＰの接着面の亀裂原因となるものであった。
【０００５】
さらに接点付き圧力計（図示せず）を用いて指定圧力で逆洗する構造であるが、圧力計（機械的、電気的）の故障時、濾過室の内部圧力が感知ができず、濾過室内の内圧が上昇し、ＦＲＰの亀裂原因となるという欠点があった。
【０００６】
従来より海水槽の濾過装置を、天然海水か天然水を逆洗水として使用するものは存在している。例えば、特許文献１のように。
【先行技術文献】
【特許文献】
【０００７】
【特許文献１】特開２００６−３３４５６８号公報
【０００８】
しかし、この技術では、大型の展示用海水槽に対応するものであり、大量の海水を洗浄・濾過する施設であり、濾過装置の設置面積等を配慮する必要のないものである。
【０００９】
この亀裂による補修作業は、煩雑であり、その都度、濾過稼働を停止して行なう必要があり、極めて問題がある。
【考案の概要】
【考案が解決しようとする課題】
【００１０】
そこで、この考案は、タワー状積層型のＦＲＰ製濾過装置であり、濾過時、逆洗時に自動的に計測でき、管理可能な亀裂防止装置を備えたタワー型ＦＲＰ製濾過装置を提供・開発するものである。
【課題を解決するための手段】
【００１１】
上記の課題を解決するため、この考案は、従来のタワー状積層型のＦＲＰ製濾過装置に、自動計測・管理して、装置内部のＦＲＰ溶接部およびマンホール取付部等の強度の弱い箇所の亀裂を防止できるタワー型ＦＲＰ製濾過装置を提供・開発するものである。
【考案の効果】
【００１２】
この考案によると、濾過状態の際に濾過装置の濾過室（１）の圧力異常時には、取水ポンプの回転をインバーター（逆変換装置）にて減圧して内部圧力を下げることができ、亀裂防止を果たす等の効果を奏する。
【００１３】
また、逆洗電動弁を自動で１０％くらい開放し、エアーを逃しながら、濾過室（１）内の異常気圧を下げることができる効果をゆうする。
【００１４】
さらに、接点付圧力計およびレベルセンサーの故障時には警報ランプを設け、表示されることにより瞬時に異常を検知することができる。
【図面の簡単な説明】
【００１５】
【図１】この考案の一実施例を示し、濾過時の状態を示す説明図である。
【図２】この考案の一実施例を示し、逆洗時の状態を示す説明図である。
【考案を実施するための形態】
【００１６】
以下、この考案について詳細に説明する。尚、この考案においては、以下の記述に限定されるものではなく、この考案の要旨を逸脱しない範囲においては適宜変更可能である。
【実施例】
【００１７】
次に、この考案の一実施例を図面に従って説明すると、濾過室（１）の上部には、濾過水貯水部（２）を設け、下部には濾過処理水室（３）を設け、三層に積層して構成されたタワー型のＦＲＰ製過装置本体において、濾過室（１）内に、圧力感知装置（Ｘ）を設け、かつ、濾過処理水室（３）には貯水槽満水検知器（Ｙ）を設け、前記圧力感知装置（Ｘ）と、貯水槽満水検知器（Ｙ）の出力信号を検知し、これに対応する操作盤（Ｚ）を、濾過装置本体の外部に設けたことを特徴とする亀裂防止装置を備えたタワー型ＦＲＰ製濾過装置から構成されるものである。
【００１８】
さらに、この考案に係るタワー型ＦＲＰ製濾過装置を詳述すると、濾過水貯水室（１）と濾過処理水室（３）との間には連通管（４）を設け、該連通管により濾過処理された水を移送するものである。
【００１９】
尚、濾過室（１）、濾過水貯水部（２）、そして濾過処理水室（３）には、それぞれ１または複数箇所にマンホール（５ａ，５ｂ，５ｃ）を設け、工事・点検の際、それぞれ内部への出入りできるよう構成されている。
【００２０】
また、濾過室（１）には外部より海水等の被濾過水を流入する取水管（６ａ）を設け、該管には取水用電動弁（７ａ）を設けると共に、毎時、４０〜６０トンの能力を有する取水ポンプ（８）を設けており、該ポンプにはインバーター（図示せず）機能を設け、濾過室の内部圧力を下げるよう構成されている。
【００２１】
さらに、濾過室（１）には、逆洗の際、排水する排水管（６ｂ）を設け、排水溝へ排水する。該管にも逆洗用電動弁（７ｂ）を設けている。
【００２２】
また、濾過室（１）の底面には、ストレーナ（８）と濾過材層（９）を形成している。  
【００２３】
濾過水貯水部（２）には、濾過水を貯水槽へ移送する管（６ｃ）を設けている。
【００２４】
最後に、濾過処理水室（３）には、逆洗の際、排水溝に流すための排水管（６ｂ）を使用している。
【００２５】
前記貯水槽満水検知器（Ｙ）は、濾過水貯水部（２）の上部付近であり、高水位を検知するＬＷＬセンサーである。
【００２６】
次に、この考案の使用状態を説明すると、濾過時の状態は、濾過室（１）と連通する排水管（６ｂ）に設けた逆洗用電動弁（７ｂ）を「閉」にしておき、取水用電動弁（７ａ）を開放するとともに、取水ポンプ（８）を稼働させ、海水等の被濾過水を濾過室（１）内に流入させ、該室から濾過材層（９）並びにストレーナー（８）を通過・濾過されて濾過処理水室（２）に移動し、該濾過処理水室から連通管（４）によって濾過水貯水部（２）に移動し、該濾過水貯水部から貯水槽（Ａ）へと流入されるものである。
【００２７】
さらに、この考案の用いた逆洗時の状態は、濾過室（１）と連通する排水管（６ｂ）に設けた逆洗用電動弁（７ｂ）を「開」にしておき、濾過室（１）内の水はもちろん、濾過処理水室（２）内の水も連通管（４）から濾過水貯水部（２）に戻り、さらに濾過室（１）内から排水管（６ｂ）より排水溝に流出させるものである。
【産業上の利用可能性】
【００２８】
この考案によると、亀裂防止装置を備えたタワー型ＦＲＰ製濾過装置の技術を確立し、実施・販売することにより産業上の利用可能性がある。
【符号の説明】
【００２９】
１  濾過室
２  濾過水貯水部
３  濾過処理水室
４  連通管
５ａ，５ｂ，５ｃ  マンホール
６ａ  取水管
６ｂ  排水管
６ｃ  移送管
７ａ  取水用電動弁
７ｂ  逆洗用電動弁
８  取水ポンプ
９  ストレーナ
１０  濾過材層
Ａ  貯水槽
Ｘ  圧力感知装置
Ｙ  貯水槽満水検知器
Ｚ  操作盤
【図１】
0003183599.tif 000003
【図２】
0003183599.tif 000004
【手続補正書】
【提出日】平成25年3月19日(2013.3.19)
【手続補正１】
【補正対象書類名】実用新案登録請求の範囲
【補正対象項目名】全文
【補正方法】変更
【補正の内容】
【実用新案登録請求の範囲】
【請求項１】
濾過室（１）の上部には、濾過水貯水部（２）を設け、下部には濾過処理水室（３）を設け、三層に積層して構成されたタワー型のＦＲＰ製濾過装置本体であって、
濾過室（１）内に圧力感知装置（Ｘ）を設け、
かつ、濾過水貯水部（２）には貯水槽満水検知器（Ｙ）を設け、
前記圧力感知装置（Ｘ）と、貯水槽満水検知器（Ｙ）の出力信号を検知し、これに対応する操作盤（Ｚ）を、濾過装置本体の外部に設けたことを特徴とする亀裂防止装置を備えたタワー型ＦＲＰ製濾過装置。
【手続補正２】
【補正対象書類名】明細書
【補正対象項目名】００１７
【補正方法】変更
【補正の内容】
【００１７】
次に、この考案の一実施例を図面に従って説明すると、濾過室（１）の上部には、濾過水貯水部（２）を設け、下部には濾過処理水室（３）を設け、三層に積層して構成されたタワー型のＦＲＰ製過装置本体において、濾過室（１）内に、圧力感知装置（Ｘ）を設け、かつ、濾過水貯水部（２）には貯水槽満水検知器（Ｙ）を設け、前記圧力感知装置（Ｘ）と、貯水槽満水検知器（Ｙ）の出力信号を検知し、これに対応する操作盤（Ｚ）を、濾過装置本体の外部に設けたことを特徴とする亀裂防止装置を備えたタワー型ＦＲＰ製濾過装置から構成されるものである。